(57)【特許請求の範囲】
【請求項１】
少なくとも上面が開口されている箱状とされ、内部に回路基板が収納される導電性のケース本体部と、
該ケース本体部の上面の開口を閉塞するように、前記ケース本体部の上面に被嵌される導電性の蓋部とを備え、
前記ケース本体部における側板の上端は内側にほぼ直角に折曲されて、該側板の上端の角部に導入孔が所定間隔で複数形成されていると共に、前記各導入孔にそれぞれ対応する位置であって、前記側板の上部に複数の係合孔が前記所定間隔で形成されており、
前記蓋部の各辺に設けられる複数の爪部は、前記各導入孔の位置にそれぞれ対応する前記蓋部の各辺の位置に前記所定間隔で形成されており、該各爪部はほぼ直角に下方へ折曲されて形成されていると共に、前記各爪部には外側へ膨出する凸部が形成されており、
前記蓋部を前記ケース本体部に被嵌した際に、前記複数の各爪部が、前記側板に形成されている前記各導入孔内に導入されて、前記各爪部における前記凸部が、前記側板の内側において前記各係合孔のそれぞれに係合することを特徴とするシールドケース。
【請求項２】
少なくとも上面が開口されている箱状とされ、内部に回路基板が収納される導電性のケース本体部と、
該ケース本体部の上面の開口を閉塞するように、前記ケース本体部の上面に被嵌される導電性の蓋部とを備え、
前記ケース本体部における側板の上端は内側にほぼ直角に折曲されて、該側板の上端の角部に導入孔が所定間隔で複数形成されていると共に、前記各導入孔にそれぞれ対応する位置であって、前記側板の上部に複数の係合孔が前記所定間隔で形成されており、
前記蓋部の各辺に設けられる複数の爪部は、前記導入孔の一つに複数ずつ対応するように前記蓋部の各辺に所定間隔で形成されており、前記各爪部はほぼ直角に下方へ折曲されて形成されていると共に、前記各爪部には外側へ膨出する凸部が形成されており、
前記蓋部を前記ケース本体部に被嵌した際に、前記側板に形成されている前記各導入孔に複数の前記爪部が導入されて、導入された複数の前記爪部における前記凸部が、前記導入孔に対応して前記側板の内側において前記係合孔に係合することを特徴とするシールドケース。
【請求項３】
少なくとも上面が開口されている箱状とされ、内部に回路基板が収納される導電性のケース本体部と、
該ケース本体部の上面の開口を閉塞するように、前記ケース本体部の上面に被嵌される導電性の蓋部とを備え、
前記ケース本体部における側板の上端は内側にほぼ直角に折曲されて、該側板の上端の角部に導入孔が所定間隔で複数形成されており、
前記蓋部の各辺に設けられる複数の爪部は、前記各導入孔の位置にそれぞれ対応する前記蓋部の各辺の位置に前記所定間隔で形成されており、該各爪部はほぼ直角に下方へ折曲されて形成されていると共に、前記各爪部には外側へ膨出する凸部が形成されており、
前記蓋部を前記ケース本体部に被嵌した際に、前記複数の各爪部が、前記側板に形成されている前記各導入孔内に導入されて、前記各爪部における前記凸部が、前記側板の内面に圧接されることを特徴とするシールドケース。
【請求項４】
少なくとも上面が開口されている箱状とされ、内部に回路基板が収納される導電性のケース本体部と、
該ケース本体部の上面の開口を閉塞するように、前記ケース本体部の上面に被嵌される導電性の蓋部とを備え、
前記ケース本体部における側板の上端は内側にほぼ直角に折曲されて、該側板の上端の角部に導入孔が所定間隔で複数形成されていると共に、前記導入孔の下方であって前記側板の上部内面から膨出する内方突状部が形成されており、
前記蓋部の各辺に設けられる複数の爪部は、前記各導入孔の位置にそれぞれ対応する前記蓋部の各辺の位置に前記所定間隔で形成されており、該各爪部はほぼ直角に下方へ折曲されて形成されていると共に、前記各爪部には外側へ膨出する凸部が形成されており、
前記蓋部を前記ケース本体部に被嵌した際に、前記複数の各爪部が、前記側板に形成されている前記導入孔内に導入されて、前記各爪部における前記凸部が、前記側板の内側において前記内方突状部を乗り越えて前記内方突状部に係合することを特徴とするシールドケース。
【請求項５】
前記爪部の先端が、内側へ斜めに向かうテーパ状に形成されていることを特徴とする請求項１ないし４のいずれかに記載のシールドケース。
【請求項６】
前記ケース本体部の収納空間を複数に仕切る仕切り板が前記ケース本体部内に設けられており、前記蓋部を前記ケース本体部に被嵌した際に、前記仕切り板の上端から突出するよう形成された突出部が前記蓋部に形成されたスリットを貫通して突出し、突出した突出部を捩ることにより前記蓋部を前記ケース本体部に固定するようにしたことを特徴とする請求項１ないし４のいずれかに記載のシールドケース。
【発明の詳細な説明】
【技術分野】
【０００１】
本発明は、電波の漏洩や干渉を防止することを目的として使用される電子機器用のシールドケースに関する。
【背景技術】
【０００２】
従来の一般的な電子機器用のシールドケースは、ケース本体と、ケース本体に被嵌される蓋部とから構成されている。このような、従来の電子機器用のシールドケース１００の構成の一例を図１２ないし図１６に示す。図１２は従来のシールドケース１００の構成を示す斜視図であり、図１３は従来のシールドケース１００の一部の構成を拡大して断面図で示す斜視図であり、図１４は従来のシールドケース１００の蓋部の構成を示す斜視図であり、図１５は従来のシールドケース１００の本体部の構成を示す斜視図であり、図１６は従来のシールドケース１００の組立途中の構成を示す斜視図である。
【０００３】
従来のシールドケース１００は図１２に示すように、直方体状の本体部１１０と、本体部１１０の開口されている上面を閉塞するように被嵌される蓋部１１１とから構成されている。本体部１１０および蓋部１１１とは金属板を加工して作成されており、内部の収納空間には高周波（ＲＦ）回路等が組まれた回路基板が収納される。本体部１１０の一側面には４つの同軸接栓１１２が設けられており、同軸接栓１１２から入力されたＲＦ信号を内部の回路基板に入力したり、内部の回路基板から出力されたＲＦ信号を同軸接栓１１２を介して出力することができる。蓋部１１１の４辺のそれぞれには、所定間隔で形成された多数の爪部１１５が設けられており、爪部１１５は辺において下方へほぼ直角に折曲されている。この蓋部１１１の４辺に形成された多数の爪部１１５が、蓋部１１１を本体部１１０に被嵌した際に、本体部１１０の側板１１０ｂの上部外面に弾性的に圧接されて、蓋部１１１が本体部１１０に取り付けられるようになる。
【０００４】
なお、図１３の拡大図に示すように爪部１１５には、中央からやや下に内側に突出する凸部１１５ａが形成されていると共に、凸部１１５ａから外側へ斜めに向かうようテーパ状に形成された先端部１１５ｃとが形成されている。この場合、蓋部１１１における対向する辺に形成された爪部１１５における凸部１１５ａ間の間隔は、本体部１１０の幅より若干狭く形成されている。そして、先端部１１５ｃは外側へ斜めに向かうようテーパ状に形成されていることから、蓋部１１１を本体部１１０に被嵌した際に、凸部１１５ａ間の間隔が本体部１１０の幅より若干狭く形成されていても、テーパ状の先端部１１５ｃで案内されて蓋部１１１を容易に本体部１１０に被嵌することができる。さらに、本体部１１０の４つの側板１１０ｂの上部には細長い矩形状の多数の係合孔１１０ａが爪部１１５の配置位置に対応して形成されており、蓋部１１１を本体部１１０に被嵌した際に、図１３に示すようにそれぞれの爪部１１５の凸部１１５ａが対応する係合孔１１０ａにそれぞれ弾性的に係合するようになる。これにより、弾性的にかつ確実に蓋部１１１が本体部１１０に固定されるようになる。
【０００５】
本体部１１０は、図１５に示すように４つの側板１１０ｂからなる直方体状とされ、４つの側板１１０ｂの上部には爪部１１５の配置位置に対応した細長い矩形状の係合孔１１０ａが多数形成されている。４つの側板１１０ｂの上端は内側に折曲されており、側板１１０ｂの１つには４つの同軸接栓１１２が固着されている。また、本体部１１０の内部には、例えば３枚の仕切り板１１４が横方向に所定の間隔で設けられており、内部の収納空間は４つに仕切られている。４つに仕切られた収納空間のそれぞれには、ＲＦ回路等が組まれた回路基板１１３が収納されている。この場合、回路基板１１３にはＲＦ回路等の電気的特性を調整するためのトリマやボリューム等の半固定の調整素子が設けられており、調整素子には調整用摘み１１３ａが設けられている。また、仕切り板１１４の上端から突出する根本にくびれが形成された突出部１１４ａが複数設けられている。
【０００６】
また、図１４に示すように蓋部１１１の４辺のそれぞれには、多数の爪部１１５が辺において下方へほぼ直角に折曲されて形成されている。そして、爪部１１５の中央よりやや下に内側に突出する凸部１１５ａが形成されていると共に、凸部１１５ａから外側へ斜めに向かうテーパ状の先端部１１５ｃが形成されている。また、蓋部１１１の平面状の部位には複数の丸孔１１１ｃと複数のスリット１１１ｂとが形成されている。蓋部１１１を本体部１１０に被嵌した際に、回路基板１１３に設けられている調整素子の調整用摘み１１３ａが丸孔１１１ｃに挿入されて若干突出するようになり、仕切り板１１４の上端に形成されている突出部１１４ａがスリット１１１ｂを貫通して突出するようになる。
ここで、蓋部１１１を本体部１１０に被嵌した状態を図１６に示すが、この状態において、スリット１１１ｂから突出した複数の突出部１１４ａをそれぞれ捩ることにより、図１２に示す取付状態となって、蓋部１１１の平面状の部位が本体部１１０の上面に密着して取り付けられるようになる。
【０００７】
次に、従来の他の電子機器用のシールドケース２００の構成例を図１７および図１８に示す。図１７は従来の他のシールドケース２００の構成を示す斜視図であり、図１８は従来の他のシールドケース２００の一部の構成を拡大して断面図で示す斜視図である。
これらの図に示す従来の他の電子機器用のシールドケース２００は、直方体状の本体部２１０と、本体部２１０の開口されている上面を閉塞するように被嵌される蓋部２１１とから構成されている。本体部２１０および蓋部２１１とは金属板を加工して作成されており、内部の収納空間にはＲＦ回路等が組まれた回路基板が収納される。蓋部２１１の構成は、従来のシールドケース１００における蓋部１１１と同様の構成とされている。また、本体部２１０の構成は、４つの側板２１０ｂに係合孔を備えていない構成が、従来のシールドケース１００における本体部１１０の構成と相違するが、他の構成は同様とされている。
すなわち、蓋部２１１を本体部２１０に被嵌した際に、テーパ状の先端部２１５ｃで案内されて蓋部２１１を容易に本体部２１０に被嵌することができる。また、蓋部２１１における対向する辺に形成された爪部２１５における凸部２１５ａ間の間隔は、本体部２１０の幅より若干狭く形成されて蓋部２１１を本体部２１０に被嵌した際に、弾性的に蓋部２１１が本体部２１０に固定されるようになる。
【０００８】
次に、従来のさらに他の電子機器用のシールドケース３００の構成例を図１９および図２０に示す。図１９は従来のさらに他のシールドケース３００の構成を示す斜視図であり、図２０は従来のさらに他のシールドケース３００の一部の構成を拡大して断面図で示す斜視図である。
これらの図に示す従来のさらに他の電子機器用のシールドケース３００は、直方体状の本体部３１０と、本体部３１０の開口されている上面を閉塞するように被嵌される蓋部３１１とから構成されている。本体部３１０および蓋部３１１とは金属板を加工して作成されており、内部の収納空間にはＲＦ回路等が組まれた回路基板が収納される。蓋部３１１の構成は、従来のシールドケース１００における蓋部１１１と同様の構成とされている。また、本体部３１０の構成は、４つの側板３１０ｂに係合孔に替えて突状部３１０ａを設けるようにした構成が、従来のシールドケース１００における本体部１１０の構成と相違するが、他の構成は同様とされている。
すなわち、本体部３１０における４つの側板３１０ｂの上部外面には、線条に伸びる突状部３１０ａがほぼ側板３１０ｂの全体にわたり横方向に形成されている。そして、蓋部３１１を本体部３１０に被嵌した際に、図２０に示すようにそれぞれの爪部３１５の凸部３１５ａが突状部３１０ａを乗り越えて弾性的に側板３１０ｂに圧接されるようになる。この場合、突状部３１０ａに爪部３１５の凸部３１５ａが係合することから、弾性的にかつ確実に蓋部３１１が本体部３１０に固定されるようになる。なお、蓋部３１１を本体部３１０に被嵌した際に、テーパ状の先端部３１５ｃで案内されて爪部３１５の凸部３１５ａが突状部３１０ａを容易に乗り越えて係合するようになる。
【先行技術文献】
【特許文献】
【０００９】
【特許文献１】特開２００９−１８２０５８号公報
【特許文献２】特開２００９−１４１２４５号公報
【発明の概要】
【発明が解決しようとする課題】
【００１０】
従来のシールドケースにおいては、蓋部の爪部が本体部における側板の外面に圧接される構造とされていることから、シールドケースの外形寸法が本体部の幅より大きくなって、小型化することができないという問題点があった。
また、蓋部と本体部との電気的接触は爪部の凸部で主に行われることから、電気的接触が確保できない場合もあった。
そこで、本発明は、小型化することができる構造とすると共に、電気的接触を確保することのできるのシールドケースを提供することを目的としている。
【課題を解決するための手段】
【００１１】
本発明のシールドケースは、少なくとも上面が開口されている箱状とされ、内部に回路基板が収納される導電性のケース本体部と、該ケース本体部の上面の開口を閉塞するように、前記ケース本体部の上面に被嵌される導電性の蓋部とを備え、前記ケース本体部における側板の上端は内側にほぼ直角に折曲されて、該側板の上端の角部に導入孔が所定間隔で複数形成されていると共に、前記各導入孔にそれぞれ対応する位置であって、前記側板の上部に複数の係合孔が前記所定間隔で形成されており、前記蓋部の各辺に設けられる複数の爪部は、前記各導入孔の位置にそれぞれ対応する前記蓋部の各辺の位置に前記所定間隔で形成されており、該各爪部はほぼ直角に下方へ折曲されて形成されていると共に、前記各爪部には外側へ膨出する凸部が形成されており、前記蓋部を前記ケース本体部に被嵌した際に、前記複数の各爪部が、前記側板に形成されている前記各導入孔内に導入されて、前記各爪部における前記凸部が、前記側板の内側において前記各係合孔のそれぞれに係合することを最も主要な特徴としている。
【発明の効果】
【００１２】
本発明によれば、蓋部をケース本体部に被嵌した際に、蓋部の各辺に形成されている複数の各爪部が、ケース本体部における側板の上端の角部に形成されている導入孔内に導入されて、各爪部に形成されている外側へ膨出する凸部が、導入孔に対応して側板に形成されている複数の係合孔のそれぞれに、側板の内側において係合するようになる。これにより、シールドケースの外形寸法は、ケース本体部の幅と同じとなり、シールドケースを小型化することができる。また、各爪部は導入孔に導入され、さらに係合孔に係合することから、爪部は複数の箇所でケース本体部に接触して電気的接触を確保することができると共に、蓋部がケース本体部に取り付けられる機械的強度を向上することができる。
【図面の簡単な説明】
【００１３】
【図１】本発明の第１実施例にかかるシールドケースの構成を示す斜視図である。
【図２】本発明の第１実施例にかかるシールドケースの構成の一部を拡大して断面図で示す斜視図である。
【図３】本発明にかかるシールドケースの蓋部の構成を示す斜視図である。
【図４】本発明にかかるシールドケースのケース本体部の構成を示す斜視図である。
【図５】本発明の第１実施例にかかるシールドケースの組立途中の構成を示す斜視図である。
【図６】本発明の第２実施例にかかるシールドケースの構成を示す斜視図である。
【図７】本発明の第２実施例にかかるシールドケースの構成の一部を拡大して断面図で示す斜視図である。
【図８】本発明の第３実施例にかかるシールドケースの構成を示す斜視図である。
【図９】本発明の第３実施例にかかるシールドケースの構成の一部を拡大して断面図で示す斜視図である。
【図１０】本発明の第４実施例にかかるシールドケースの構成を示す斜視図である。
【図１１】本発明の第４実施例にかかるシールドケースの構成の一部を拡大して断面図で示す斜視図である。
【図１２】従来のシールドケースの構成を示す斜視図である。
【図１３】従来のシールドケースの構成の一部を拡大して断面図で示す斜視図である。
【図１４】従来のシールドケースの蓋部の構成を示す斜視図である。
【図１５】従来のシールドケースのケース本体部の構成を示す斜視図である。
【図１６】従来のシールドケースの組立途中の構成を示す斜視図である。
【図１７】従来の他のシールドケースの構成を示す斜視図である。
【図１８】従来の他のシールドケースの構成の一部を拡大して断面図で示す斜視図である。
【図１９】従来のさらに他のシールドケースの構成を示す斜視図である。
【図２０】従来のさらに他のシールドケースの構成の一部を拡大して断面図で示す斜視図である。
【発明を実施するための形態】
【００１４】
本発明の第１実施例のシールドケース１の構成を図１ないし図５に示す。図１は本発明の第１実施例にかかるシールドケース１の構成を示す斜視図であり、図２は本発明の第１実施例にかかるシールドケース１の構成の一部を拡大して断面図で示す斜視図であり、図３は本発明の第１実施例にかかるシールドケース１の蓋部の構成を示す斜視図であり、図４は本発明の第１実施例にかかるシールドケース１のケース本体部の構成を示す斜視図であり、図５は本発明の第１実施例にかかるシールドケース１の組立途中の構成を示す斜視図である。
【００１５】
これらの図に示す本発明の第１実施例にかかるシールドケース１は、図１に示すように、上面が開口した直方体状とされた箱状のケース本体部１０と、ケース本体部１０の開口されている上面を閉塞するように被嵌される矩形状の蓋部１１とから構成されている。ケース本体部１０および蓋部１１とは金属板を加工して作成されて導電性とされており、内部の収納空間には高周波（ＲＦ）回路等が組まれた回路基板が収納される。ケース本体部１０の一側面には４つの同軸接栓１２が設けられており、同軸接栓１２から入力されたＲＦ信号を内部の回路基板に入力したり、内部の回路基板から出力されたＲＦ信号を同軸接栓１２を介して出力することができる。矩形状の蓋部１１の４辺のそれぞれには、所定間隔で形成された多数の爪部１５が設けられており、爪部１５は蓋部１１の平面状の部位の辺において下方へほぼ直角に折曲されて形成されている。この蓋部１１の４辺に形成された多数の爪部１５が、蓋部１１をケース本体部１０に被嵌した際に、後述するケース本体部１０の側板１０ｂに形成されている導入孔１０ｃ内に導入されて、側板１０ｂの上部に形成されている係合孔１０ａに係合されることにより、蓋部１１がケース本体部１０に取り付けられるようになる。
【００１６】
爪部１５は、図２の拡大図に示すように中央からやや下に外側に膨出する凸部１５ａが形成されていると共に、凸部１５ａから内側へ斜めに向かうようテーパ状に形成された先端部１５ｃとが形成されている。また、蓋部１１における対向する辺に形成された爪部１５における凸部１５ａ間の間隔は、ケース本体部１０における内形の寸法（対向する側板１０ｂ間の内面間の間隔）より若干広く形成されている。
ケース本体部１０は、図２の拡大図に示すように側板１０ｂと下面を閉塞する金属製（導電性）の底板１０ｄとから構成されている。側板１０ｂは箱を形成するように前後左右に４枚配置されている。各側板１０ｂの上端は内側へほぼ直角に折曲されて、折曲されている側板１０ｂの上端の角部に爪部１５が設けられている所定間隔と同じ所定間隔で横方向に細長い矩形状の複数の導入孔１０ｃが形成されている。さらに、各側板１０ｂの上部に横方向に細長い矩形状の係合孔１０ａが、複数の導入孔１０ｃのそれぞれに対応する位置に形成されるように上記所定間隔で複数形成されている。そして、蓋部１１をケース本体部１０に被嵌した際に、先端部１５ｃは内側へ斜めに向かうようテーパ状に形成されていることから、対面する爪部１５における凸部１５ａ間の間隔がケース本体部１０の内形の寸法、すなわち対面する導入孔１０ｃ間の間隔より若干広く形成されていても、テーパ状の先端部１５ｃにより導入孔１０ｃ内に爪部１５が案内されて導入されるようになる。導入孔１０ｃ内に導入された各爪部１５は、導入孔１０ｃの下方に対応して形成されている係合孔１０ａに凸部１５ａがそれぞれ弾性的に係合するようになる。このようにして、蓋部１１を容易にケース本体部１０に弾性的にかつ確実に取り付けることができる。第１実施例のシールドケース１は、外形寸法がケース本体部１０の幅と同じとなり、シールドケース１を小型化することができる。また、各爪部１５は導入孔１０ｃおよび係合孔１０ａの周囲に複数の箇所で接触して電気的接触を確保することができると共に、取り付けられる機械的強度を向上することができる。
【００１７】
ケース本体部１０の構成の詳細が図４に示されており、この図に示すようにケース本体部１０は４枚の側板１０ｂからなる箱状とされ、４枚の各側板１０ｂの上部には爪部１５の配置位置に対応して細長い矩形状の係合孔１０ａが、爪部１５の所定間隔と同じ所定間隔で多数形成されている。また、４枚の各側板１０ｂの上端は内側に折曲されており、折曲されている側板１０ｂの上端の角部に上記所定間隔で多数の導入孔１０ｃが形成されている。側板１０ｂの１枚には４つの同軸接栓１２が固着されている。さらに、本体部１０の内部には、例えば３枚の金属板からなる仕切り板１４が横方向に所定の間隔で設けられており、内部の収納空間は４つに仕切られている。４つに仕切られた収納空間のそれぞれには、ＲＦ回路等が組まれた回路基板１３がそれぞれ収納されている。この場合、回路基板１３にはＲＦ回路等の電気的特性を調整するためのトリマやボリューム等の半固定の調整素子が設けられており、調整素子には延伸された調整用摘み１３ａが設けられている。また、仕切り板１４の上端から突出する根本にくびれ部が形成された突出部１４ａが複数設けられている。
【００１８】
また、蓋部１１の構成の詳細が図３に示されており、この図に示すように蓋部１１はケース本体部１０の上面を閉塞する矩形とされた平面状の部位と、平面状の部位の４辺のそれぞれに形成された多数の爪部１５とから構成されている。爪部１５は、下方へほぼ直角に折曲されて形成されており、爪部１５の中央よりやや下に外側に膨出する凸部１５ａが形成されていると共に、凸部１５ａから内側へ斜めに向かうテーパ状の先端部１５ｃが形成されている。また、蓋部１１の平面状の部位には複数の丸孔１１ｃと複数のスリット１１ｂとが形成されている。蓋部１１をケース本体部１０に被嵌した際に、回路基板１３に設けられている調整素子の調整用摘み１３ａの先端が丸孔１１ｃを貫通して若干突出するようになり、仕切り板１４の上端に形成されている複数の突出部１４ａがスリット１１ｂのそれぞれを貫通して突出するようになる。
【００１９】
ここで、蓋部１１をケース本体部１０に被嵌した状態を図５に示すが、この状態においては多数の爪部１５がケース本体部１０の側板１０ｂの内側において係合孔１０ａに弾性的に圧接されることから、爪部１５により蓋部１１における平面状の部位を上方へ浮き上がらせる応力が印加される。そこで、各スリット１１ｂから突出した複数の突出部１４ａをそれぞれ捩ることにより、突出部１４ａのくびれ部が捻れて図１に示す取付状態となって、蓋部１１の平面状の部位が浮き上がることなくケース本体部１０の上面に密着して取り付けられるようになる。
本発明の第１実施例のシールドケース１においては、内部に収納した回路基板１３に電源を供給して動作状態とした状態において、シールドケース１から突出している調整用摘み１３ａを回転して調整することにより、所望の電気的特性となるよう調整することができる。
【００２０】
次に、本発明の第２実施例のシールドケース２の構成を図６および図７に示す。図６は本発明の第２実施例にかかるシールドケース２の構成を示す斜視図であり、図７は本発明の第２実施例にかかるシールドケース２の構成の一部を拡大して断面図で示す斜視図である。
これらの図に示す本発明の第２実施例にかかるシールドケース２は、第１実施例のシールドケース１と同様に、上面が開口した直方体状とされた箱状のケース本体部２０と、ケース本体部２０の開口されている上面を閉塞するように被嵌される矩形状の蓋部２１とから構成されている。ケース本体部２０および蓋部２１とは金属板を加工して作成されて導電性とされており、内部の収納空間には高周波（ＲＦ）回路等が組まれた回路基板が収納される。ケース本体部２０の一側面には４つの同軸接栓２２が設けられており、同軸接栓２２から入力されたＲＦ信号を内部の回路基板に入力したり、内部の回路基板から出力されたＲＦ信号を同軸接栓２２を介して出力することができる。
【００２１】
蓋部２１の構成は、第１実施例にかかる蓋部１１と同様の構成とされており、その詳細説明は省略するが、所定間隔で形成された多数の爪部２５が蓋部２１の４辺に設けられており、爪部２５は下方へほぼ直角に折曲されて形成されている。爪部２５は、図７の拡大図に示すように中央からやや下に外側に膨出する凸部２５ａが形成されていると共に、凸部２５ａから内側へ斜めに向かうようテーパ状に形成された先端部２５ｃとが形成されている。また、蓋部２１における対向する辺に形成された爪部２５における凸部２５ａ間の間隔は、ケース本体部２０における内形の寸法（対向する側板２０ｂ間の内面間の間隔）より若干広く形成されている。
ケース本体部２０は、図７の拡大図に示すように側板２０ｂと下面を閉塞する金属製（導電性）の底板２０ｄとから構成されている。側板２０ｂは箱を形成するように前後左右に４枚配置されている。各側板２０ｂの上端は内側へほぼ直角に折曲されて、折曲されている側板２０ｂの上端の角部に隣接する２つの爪部２５を導入可能な細長い幅とされた矩形状の複数の導入孔２０ｃが所定間隔で形成されている。さらに、各側板２０ｂの上部に導入孔２０ｃとほぼ同じ細長い幅の矩形状の係合孔２０ａが、各導入孔２０ｃのそれぞれに対応する位置に上記所定間隔で複数形成されている。ケース本体部２０の他の構成は、第１実施例にかかるケース本体部１０と同様とされているので省略する。
【００２２】
そして、蓋部２１をケース本体部２０に被嵌した際に、先端部２５ｃは内側へ斜めに向かうようテーパ状に形成されていることから、対面する爪部２５における凸部２５ａ間の間隔がケース本体部２０の内形の寸法、すなわち対面する導入孔２０ｃ間の間隔より若干広く形成されていても、テーパ状の先端部２５ｃにより導入孔２０ｃ内に爪部２５が案内されるようになる。この場合、１つの導入孔２０ｃ内に隣接する２つずつの爪部２５が案内されて導入され、導入孔２０ｃの下方に対応して形成されている係合孔２０ａに、２つずつ導入された爪部２５の凸部２５ａが、側板２０ｂの内側において弾性的に係合するようになる。このようにして、蓋部２１を容易にケース本体部２０に弾性的にかつ確実に取り付けることができる。また、蓋部２１をケース本体部２０に被嵌した際に、ケース本体部２０に収納されている回路基板上の調整素子の調整用摘み２３ａの先端が丸孔２１ｃを貫通して若干突出するようになり、ケース本体部２０における仕切り板の上端から突出する根本にくびれ部が形成された複数の突出部２４ａがスリット２１ｂのそれぞれを貫通して突出するようになる。この各スリット２１ｂから突出した複数の突出部２４ａをそれぞれ捩ることにより、突出部２４ａのくびれ部が捩れて蓋部２１の平面状の部位が浮き上がることなくケース本体部２０の上面に密着して取り付けられるようになる。
【００２３】
第２実施例のシールドケース２においても、外形寸法がケース本体部２０の幅と同じとなり、シールドケース２を小型化することができる。また、各爪部２５は導入孔２０ｃおよび係合孔２０ａの周囲に複数の箇所で接触して電気的接触を確保することができると共に、取り付けられる機械的強度を向上することができる。
本発明の第２実施例のシールドケース２においても、内部に収納した回路基板に電源を供給して動作状態とした状態において、シールドケース２から突出している調整用摘み２３ａを回転させて調整することにより、所望の電気的特性となるよう調整することができる。
【００２４】
次に、本発明の第３実施例のシールドケース３の構成を図８および図９に示す。図８は本発明の第３実施例にかかるシールドケース３の構成を示す斜視図であり、図９は本発明の第３実施例にかかるシールドケース３の構成の一部を拡大して断面図で示す斜視図である。
これらの図に示す本発明の第３実施例にかかるシールドケース３は、第１実施例のシールドケース１と同様に、上面が開口した直方体状とされた箱状のケース本体部３０と、ケース本体部３０の開口されている上面を閉塞するように被嵌される矩形状の蓋部３１とから構成されている。ケース本体部３０および蓋部３１とは金属板を加工して作成されて導電性とされており、内部の収納空間には高周波（ＲＦ）回路等が組まれた回路基板が収納される。ケース本体部３０の一側面には４つの同軸接栓３２が設けられており、同軸接栓３２から入力されたＲＦ信号を内部の回路基板に入力したり、内部の回路基板から出力されたＲＦ信号を同軸接栓３２を介して出力することができる。
【００２５】
蓋部３１の構成は、第１実施例にかかる蓋部１１と同様の構成とされており、その詳細説明は省略するが、所定間隔で形成された多数の爪部３５が蓋部３１の４辺に設けられており、爪部３５は下方へほぼ直角に折曲されて形成されている。爪部３５は、図９の拡大図に示すように中央からやや下に外側に膨出する凸部３５ａが形成されていると共に、凸部３５ａから内側へ斜めに向かうようテーパ状に形成された先端部３５ｃとが形成されている。また、蓋部３１における対向する辺に形成された爪部３５における凸部３５ａ間の間隔は、ケース本体部３０における内形の寸法（対向する側板３０ｂ間の内面間の間隔）より若干広く形成されている。
ケース本体部３０は、図９の拡大図に示すように側板３０ｂと下面を閉塞する金属製（導電性）の底板３０ｄとから構成されている。側板３０ｂは箱を形成するように前後左右に４枚配置されている。各側板３０ｂの上端は内側へほぼ直角に折曲されて、折曲されている側板３０ｂの上端の角部に各爪部３５を導入可能な細長い幅とされた矩形状の複数の導入孔３０ｃが爪部３５と同じ所定間隔で形成されている。ケース本体部３０の他の構成は、第１実施例にかかるケース本体部１０と同様とされているので省略する。
【００２６】
そして、蓋部３１をケース本体部３０に被嵌した際に、先端部３５ｃは内側へ斜めに向かうようテーパ状に形成されていることから、対面する爪部３５における凸部３５ａ間の間隔がケース本体部３０の内形の寸法、すなわち対面する導入孔３０ｃ間の間隔より若干広く形成されていても、テーパ状の先端部３５ｃにより導入孔３０ｃ内に爪部３５が案内されるようになる。この場合、各導入孔３０ｃ内に１つずつの爪部３５が案内されて導入され、導入孔３０ｃ内に導入された各爪部３５の凸部３５ａが、側板３０ｂの内面に弾性的に圧接するようになる。このようにして、蓋部３１を容易にケース本体部３０に弾性的にかつ確実に取り付けることができる。また、蓋部３１をケース本体部３０に被嵌した際に、ケース本体部３０に収納されている回路基板上の調整素子の調整用摘み３３ａの先端が丸孔３１ｃを貫通して若干突出するようになり、ケース本体部３０における仕切り板の上端から突出する根本にくびれ部が形成された複数の突出部３４ａがスリット３１ｂのそれぞれを貫通して突出するようになる。この各スリット３１ｂから突出した複数の突出部３４ａをそれぞれ捩ることにより、突出部３４ａのくぶれ部が捻れて蓋部３１の平面状の部位が浮き上がることなくケース本体部３０の上面に密着して取り付けられるようになる。
【００２７】
第３実施例のシールドケース３においても、外形寸法がケース本体部３０の幅と同じとなり、シールドケース３を小型化することができる。また、各爪部３５は導入孔３０ｃおよび係合孔３０ａの周囲に複数の箇所で接触して電気的接触を確保することができると共に、取り付けられる機械的強度を向上することができる。
本発明の第３実施例のシールドケース２においても、内部に収納した回路基板に電源を供給して動作状態とした状態において、シールドケース３から突出している調整用摘み３３ａを回転させて調整することにより、所望の電気的特性となるよう調整することができる。
【００２８】
次に、本発明の第４実施例のシールドケース４の構成を図１０および図１１に示す。図１０は本発明の第４実施例にかかるシールドケース４の構成を示す斜視図であり、図１１は本発明の第４実施例にかかるシールドケース４の構成の一部を拡大して断面図で示す斜視図である。
これらの図に示す本発明の第４実施例にかかるシールドケース４は、第１実施例のシールドケース１と同様に、上面が開口した直方体状とされた箱状のケース本体部４０と、ケース本体部４０の開口されている上面を閉塞するように被嵌される矩形状の蓋部４１とから構成されている。ケース本体部４０および蓋部４１とは金属板を加工して作成されて導電性とされており、内部の収納空間には高周波（ＲＦ）回路等が組まれた回路基板が収納される。ケース本体部４０の一側面には４つの同軸接栓４２が設けられており、同軸接栓４２から入力されたＲＦ信号を内部の回路基板に入力したり、内部の回路基板から出力されたＲＦ信号を同軸接栓４２を介して出力することができる。
【００２９】
蓋部４１の構成は、第１実施例にかかる蓋部１１と同様の構成とされており、その詳細説明は省略するが、所定間隔で形成された多数の爪部４５が蓋部４１の４辺に設けられており、爪部４５は下方へほぼ直角に折曲されて形成されている。爪部４５は、図１１の拡大図に示すように中央からやや下に外側に膨出する凸部４５ａが形成されていると共に、凸部４５ａから内側へ斜めに向かうようテーパ状に形成された先端部４５ｃとが形成されている。また、蓋部４１における対向する辺に形成された爪部４５における凸部４５ａ間の間隔は、ケース本体部４０における内形の寸法（対向する側板４０ｂ間の内面間の間隔）より若干広く形成されている。
ケース本体部４０は、図１１の拡大図に示すように側板４０ｂと下面を閉塞する金属製（導電性）の底板４０ｄとから構成されている。側板４０ｂは箱を形成するように前後左右に４枚配置されている。各側板４０ｂの上端は内側へほぼ直角に折曲されて、折曲されている側板４０ｂの上端の角部に各爪部４５を導入可能な細長い幅とされた矩形状の複数の導入孔４０ｃが爪部４５と同じ所定間隔で形成されている。また、各側板４０ｂに形成されている導入孔４０ｃの下方に、側板４０ｂの内側において線条に膨出する内方突状部４０ｅが側板４０ｂのほぼ横幅に渡り形成されている。ケース本体部４０の他の構成は、第１実施例にかかるケース本体部１０と同様とされているので省略する。
【００３０】
そして、蓋部４１をケース本体部４０に被嵌した際に、先端部４５ｃは内側へ斜めに向かうようテーパ状に形成されていることから、対面する爪部４５における凸部４５ａ間の間隔がケース本体部４０の内形の寸法、すなわち対面する導入孔４０ｃ間の間隔より若干広く形成されていても、テーパ状の先端部４５ｃにより導入孔４０ｃ内に爪部４５が案内されるようになる。この場合、各導入孔４０ｃ内に１つずつの爪部４５が案内されて導入され、導入孔４０ｃ内に導入された各爪部４５の凸部４５ａが、側板４０ｂの内面から膨出するよう形成されている内方突状部４０ｅを乗り越えて、内方突状部４０ｅに弾性的に係合するようになる。このようにして、蓋部４１を容易にケース本体部４０に弾性的にかつ確実に取り付けることができる。なお、内方突状部４０ｅの長さは、蓋部４１の一辺に形成されている複数の爪部４５の両端間の長さ以上とされていればよい。また、蓋部４１をケース本体部３０に被嵌した際に、ケース本体部４０に収納されている回路基板上の調整素子の調整用摘み４３ａの先端が丸孔４１ｃを貫通して若干突出するようになり、ケース本体部４０における仕切り板の上端から突出する根本にくびれ部が形成された複数の突出部４４ａがスリット４１ｂのそれぞれを貫通して突出するようになる。この各スリット４１ｂから突出した複数の突出部４４ａをそれぞれ捩ることにより、突出部４４ａのくびれ部が捻れて蓋部４１の平面状の部位が浮き上がることなくケース本体部４０の上面に密着して取り付けられるようになる。
【００３１】
第４実施例のシールドケース４においても、外形寸法がケース本体部４０の幅と同じとなり、シールドケース４を小型化することができる。また、各爪部４５は導入孔４０ｃおよび係合孔４０ａの周囲に複数の箇所で接触して電気的接触を確保することができると共に、取り付けられる機械的強度を向上することができる。
本発明の第４実施例のシールドケース４においても、内部に収納した回路基板に電源を供給して動作状態とした状態において、シールドケース４から突出している調整用摘み４３ａを回転させて調整することにより、所望の電気的特性となるよう調整することができる。
【産業上の利用可能性】
【００３２】
以上説明した本発明にかかる各実施例のシールドケースにおいては、爪部がケース本体部の内側に圧接されることから、蓋部に形成されている爪部のテンションが蓋部の内側方向にかかり浮き上がるようになる。そして、蓋部から上方へ突出している根本にくびれ部が形成された突出部を捩ることにより蓋部をケース本体部に固着することで、蓋部の浮き上がりが抑え付けられるようになって爪部により強いテンションがかかり、蓋部とケース本体部との電気的接触を強くすることができる。従って、電波の干渉や漏洩を極力防止することができ性能が向上するようになる。
また、本発明にかかるシールドケースの外形寸法が小さくなることにより、シールドケースを用いた製品の外形寸法を小さくすることができ、設置場所の省スペース化が図れると共に、材料を削減することができる。
さらに、第４実施例にかかるシールドケース４においては、内方突状部４０ｅを側板４０ｂのほぼ横幅に渡り形成するようにしたが、これに替えて、爪部４５にそれぞれ対応する位置だけに内方突条部４０ｅを爪部４５と同じ所定間隔で設けるようにしても良い。このようにしても、蓋部４１をケース本体部４０に被嵌した際に、導入孔４０ｃ内に導入された各爪部４５の凸部４５ａが、側板４０ｂの内面から膨出するよう形成されている内方突状部４０ｅを乗り越えて、内方突状部４０ｅに弾性的に係合するようになる。
【符号の説明】
【００３３】
１〜４  シールドケース、１０  ケース本体部、１０  本体部、１０ａ  係合孔、１０ｂ  側板、１０ｃ  導入孔、１０ｄ  底板、１１  蓋部、１１ｂ  スリット、１１ｃ  丸孔、１２  同軸接栓、１３  回路基板、１３ａ  調整用摘み、１４  仕切り板、１４ａ  突出部、１５  爪部、１５ａ  凸部、１５ｃ  先端部、２０  ケース本体部、２０ａ  係合孔、２０ｂ  側板、２０ｃ  導入孔、２０ｄ  底板、２１  蓋部、２１ｂ  スリット、２１ｃ  丸孔、２２  同軸接栓、２３ａ  調整用摘み、２４ａ  突出部、２５  爪部、２５ａ  凸部、２５ｃ  先端部、３０  ケース本体部、３０ａ  係合孔、３０ｂ  側板、３０ｃ  導入孔、３０ｄ  底板、３１  蓋部、３１ｂ  スリット、３１ｃ  丸孔、３２  同軸接栓、３３ａ  調整用摘み、３４ａ  突出部、３５  各爪部、３５  爪部、３５ａ  凸部、３５ｃ  先端部、４０  ケース本体部、４０ａ  係合孔、４０ｂ  側板、４０ｃ  導入孔、４０ｄ  底板、４０ｅ  内方突状部、４１  蓋部、４１ｂ  スリット、４１ｃ  丸孔、４２  同軸接栓、４３ａ  調整用摘み、４４ａ  突出部、４５  爪部、４５ａ  凸部、４５ｃ  先端部、１００  シールドケース、１１０  本体部、１１０ａ  係合孔、１１０ｂ  側板、１１１  蓋部、１１１ｂ  スリット、１１１ｃ  丸孔、１１２  同軸接栓、１１３  回路基板、１１３ａ  調整用摘み、１１４  仕切り板、１１４ａ  突出部、１１５  爪部、１１５ａ  凸部、１１５ｃ  先端部、２００  シールドケース、２１０  本体部、２１０ｂ  側板、２１１  蓋部、２１５  爪部、２１５ａ  凸部、２１５ｃ  先端部、３００  シールドケース、３１０  本体部、３１０ａ  突状部、３１０ｂ  側板、３１１  蓋部、３１５  爪部、３１５ａ  凸部、３１５ｃ  先端部
【図１】
0005566756.tif 000002
【図２】
0005566756.tif 000003
【図３】
0005566756.tif 000004
【図４】
0005566756.tif 000005
【図５】
0005566756.tif 000006
【図６】
0005566756.tif 000007
【図７】
0005566756.tif 000008
【図８】
0005566756.tif 000009
【図９】
0005566756.tif 000010
【図１０】
0005566756.tif 000011
【図１１】
0005566756.tif 000012
【図１２】
0005566756.tif 000013
【図１３】
0005566756.tif 000014
【図１４】
0005566756.tif 000015
【図１５】
0005566756.tif 000016
【図１６】
0005566756.tif 000017
【図１７】
0005566756.tif 000018
【図１８】
0005566756.tif 000019
【図１９】
0005566756.tif 000020
【図２０】
0005566756.tif 000021